(57)【要約】【課題】  スクロール表示すべき情報をユーザに対しより短時間でより見易く提供可能な送受信システムを提供すること。【解決手段】  送信装置１１ａは、受信装置１２ａにおいてスクロール表示すべき複数の対象を表すデータに基づいて、スクロール表示すべき複数の対象を表すデータシーケンスを生成し、受信装置１２ａに送信する。受信装置１２ａは、受信データシーケンスにより表される対象をスクロール表示する。送信装置１１ａはさらに、受信装置１２ａの所定の状態変化を検出すると、前回のデータシーケンスの生成を停止して、スクロール表示すべき複数の対象を表すデータシーケンスを作り直して再送する。受信装置１２ａは、再送されたデータシーケンスに従って、表示対象をスクロール表示する。【選択図】  図１
2007033872.tif 000002
【特許請求の範囲】
【請求項１】
少なくとも１台の送信装置と、受信装置とを備え、送信装置は、スクロール表示すべき複数の対象を表すデータシーケンスを受信装置に送信し、受信装置は、受信データシーケンスにより表される対象をスクロール表示する送受信システムであって、
前記送信装置は、
前記受信装置においてスクロール表示すべき複数の対象を表すデータが格納される表示データ格納部と、
前記表示データ格納部に格納されたデータに基づいて、スクロール表示すべき複数の対象を表すデータシーケンスを生成し、前記受信装置に送信するデータシーケンス生成部とを備え、
前記受信装置は、前記データシーケンス生成部により生成されたデータシーケンスを受信し、受信データシーケンスにより表される対象をスクロール表示する表示部を備え、
前記送信装置はさらに、
前記受信装置の所定の状態変化を検出すると、前記データシーケンス生成部にリセット要求を与える検出部を備え、
前記送信装置において、前記データシーケンス生成部は、前記検出部からのリセット要求に応答して、前回のデータシーケンスの生成を停止して、スクロール表示すべき複数の対象を表すデータシーケンスを作り直して再送し、
前記受信装置において、前記表示部は、前記データシーケンス生成部により再送されたデータシーケンスに従って、表示対象をスクロール表示する、送受信システム。
【請求項２】
前記受信装置はさらに、所定のトリガに応答して開始要求を生成し、前記送信装置側の前記検出部に与える要求生成部をさらに備え、
前記検出部は、前記受信装置側の前記要求生成部により与えられる開始要求に応答して、前記データシーケンス生成部にリセット要求を与える、請求項１に記載の送受信システム。
【請求項３】
前記受信装置は、前記送信装置に対して抜き差し可能に構成されており、
前記検出部は、前記受信装置が前記送信装置に挿されたことを検出すると、前記データシーケンス生成部にリセット要求を与える、請求項１に記載の送受信システム。
【請求項４】
前記送受信システムは、それぞれがスクロール表示すべき複数の対象を表すデータシーケンスを前記受信装置に送信する複数台の送信装置を備え、
前記受信装置は、前記複数台の送信装置のうち、いずれか１台からのデータシーケンスを選択するデータシーケンス選択部をさらに備え、
前記表示部は、前記データシーケンス選択部により選択されたデータシーケンスに従って、表示対象をスクロール表示する、請求項１に記載の送受信システム。
【請求項５】
前記受信装置は、
ローカルに保持するローカル情報および外部装置から送られてくる外部情報の少なくとも一方を取得する情報取得部と、
前記送信装置および前記情報取得部のいずれかに対して、前記表示部への表示を要求する要求生成部と、
前記要求生成部の要求に応じて、前記送信装置および前記情報格納部のいずれかを選択するデータ選択部をさらに備え、
前記表示部は、
前記要求生成部が前記情報取得部に対して要求を行った場合、前記情報取得部により取得され、前記データ選択部により選択されたローカル情報および外部情報の少なくとも一方を表示し、
前記ローカル情報および前記外部情報の少なくとも一方が表示されている最中に、前記要求生成部が前記送信装置に対して要求を行った場合、前記送信装置から再送され、前記データ選択部により選択されたデータシーケンスに従って、表示対象をスクロール表示する、請求項１に記載の送受信システム。
【請求項６】
受信装置においてスクロール表示すべき複数の対象を表すデータシーケンスを生成し送信する送信装置であって、前記送信装置は、
前記受信装置においてスクロール表示すべき複数の対象を表すデータが格納される表示データ格納部と、
前記表示データ格納部に格納されたデータに基づいて、スクロール表示すべき複数の対象を表すデータシーケンスを生成し、前記受信装置に送信するデータシーケンス生成部と、
前記受信装置の所定の状態変化を検出すると、前記データシーケンス生成部にリセット要求を与える検出部を備え、
前記データシーケンス生成部は、前記検出部からのリセット要求に応答して、前回のデータシーケンスの生成を停止して、スクロール表示すべき複数の対象を表すデータシーケンスを作り直して再送する、送信装置。
【請求項７】
送信装置により生成され、スクロール表示すべき複数の対象を表すデータシーケンスを受信して、受信データシーケンスにより表される対象をスクロール表示する受信装置であって、前記受信装置は、
前記送信装置により生成されたデータシーケンスを受信し、受信データシーケンスにより表される対象をスクロール表示する表示部と、
所定のトリガに応答して、前記データシーケンスの生成のやり直しを要求するための開始要求を生成し、前記送信装置に送信する要求生成部とを備え、
前記送信装置は、前記要求生成部からの開始要求に応答して、前回のデータシーケンスの生成を停止して、スクロール表示すべき複数の対象を表すデータシーケンスを作り直して、前記受信装置に再送し、
前記表示部は、前記送信装置により再送されたデータシーケンスに従って、表示対象をスクロール表示する受信装置。
【発明の詳細な説明】
【技術分野】
【０００１】
本発明は、送受信システムに関し、送信装置および受信装置を備え、送信装置は、スクロール表示すべき複数の対象を表すデータシーケンスを受信装置に送信し、受信装置は、受信データシーケンスにより表される対象をスクロール表示する送受信システムに関する。
【背景技術】
【０００２】
ディジタル化された映像データ又は音響データ（以下、コンテンツデータと称する）は、自身の内部、又は自身に関連するメタデータに、映像又は音響について書誌情報を含んでいる場合がある。他にも、記録メディアにおけるＴＯＣ（Ｔａｂｌｅ  Ｏｆ  Ｃｏｎｔｅｎｔｓ）内に、コンテンツについて書誌情報が格納されている場合もある。
【０００３】
例えば、ＭＰ３（Ｍｐｅｇ  Ａｕｄｉｏ  Ｌａｙｅｒ  ＩＩＩ）に従って圧縮されたコンテンツデータの場合、それ自身のデータ領域の一部に、ＩＤ３タグという領域が設けられており、ＩＤ３タグに、書誌情報として、典型的には、アルバム名、タイトル名およびアーティスト名を格納することができる。ＡＶ機器の中には、コンテンツの再生中に、上記書誌情報を表示する機能を備えるものも多く、規格により書誌情報の表示が義務付けられている場合もある。また、例えばポータブルＣＤプレイヤ又は半導体オーディオプレイヤに代表される携帯型音響機器では、本体側から、リモートコントローラ側に、上記書誌情報を送信し、リモートコントローラ側に備わる小型の表示装置（例えば液晶表示装置）は、上記書誌情報を表示する。しかしながら、リモートコントローラ側の表示装置は、書誌情報だけでなく、リモートコントローラがローカルに保持する情報を表示する場合もあるため、書誌情報からローカル情報の表示に切り換えた場合又はその逆の場合、ローカル情報又は書誌情報の表示に乱れが発生するという問題点があった。
【０００４】
上記のような表示の乱れは、書誌情報を表示するアプリケーションに限らず、ある映像から他の映像へと切り換える場合にも生じうる。それ故、従来、映像の切り換えを行う際、切り換え後の映像が正しく表示可能になるまで（映像の同期が確立されるまで）、切り換え直前の映像の一コマを静止画として表示し続ける方法が提案されている。この方法によれば、同期が確立されると、後の映像に切り換えられるので、上記のような画面上での表示の乱れを抑制し、品位を向上させることができる（例えば特許文献１を参照）。
【特許文献１】特開平８−１８１９２６号公報
【発明の開示】
【発明が解決しようとする課題】
【０００５】
しかしながら、上述の携帯型音響機器のリモートコントローラに備わる表示装置は一般的に、小さな画面しか有しておらず、画面に表示可能な情報量（典型的には文字数）には制限がある。それ故、情報量の大きい書誌情報を表示するために、書誌情報はスクロール表示されることが多い。また、ユーザが確実に視認できるように、書誌情報のスクロールの開始から終了まではある程度の時間を要し、スクロールの開始から完了までの時間は、上記特許文献１に開示された方法における映像同期が確立されるまでの時間よりもはるかに長い。従って、スクロールの開始から完了までの間に、他の情報を表示しなければならないという状況が少なからず生じる。しかしながら、このような状況において、リモートコントローラ上の表示画面では、切り換え前の情報と、切り換え後の情報とが入り乱れて、ユーザが理解不能な情報が表示画面に表示されてしまうと場合があるという問題点があった。
【０００６】
また、以上のような携帯型音響機器に、特許文献１に開示された方法を採用された場合、下記のような問題が起こりえる。つまり、第１回目の書誌情報がスクロールされている途中に、他の情報を割り込み表示する場合を想定する。この想定下で、他の情報から、書誌情報の表示へと復帰した場合、リモートコントローラは、携帯型音響機器からみると完全な受け身の立場であるため、他の情報を表示している間、第１回目の書誌情報のスクロールからは部分的な情報の抜けてしまい、ユーザは、書誌情報を理解できない場合が生じる。
【０００７】
また、リモートコントローラは、受け身の立場であるため、途中から再開した書誌情報のスクロールを、書誌情報の最後まで行う。それ故、ユーザは、書誌情報を理解するためには、第２回目の書誌情報のスクロールを観る必要が生じるが、上述のように、書誌情報のスクロール開始から終了までには時間がかかるので、第２回目のスクロールの開始まで、ユーザは、かなりの時間待たなければならない。
【０００８】
それ故に、本発明の目的は、スクロール表示すべき情報をユーザに対しより短時間でより見易く提供可能な送受信システムを提供することである。
【課題を解決するための手段】
【０００９】
上記目的を達成するために、本発明は、送信装置および受信装置を備える送受信システムに向けられる。ここで、送信装置は、スクロール表示すべき複数の対象を表すデータシーケンスを受信装置に送信する。また、受信装置は、受信データシーケンスにより表される対象をスクロール表示する。送信装置は、受信装置においてスクロール表示すべき複数の対象を表すデータが格納される表示データ格納部と、表示データ格納部に格納されたデータに基づいて、スクロール表示すべき複数の対象を表すデータシーケンスを生成し、受信装置に送信するデータシーケンス生成部とを備える。受信装置は、データシーケンス生成部により生成されたデータシーケンスを受信し、受信データシーケンスにより表される対象をスクロール表示する表示部を備える。送信装置はさらに、受信装置の所定の状態変化を検出すると、データシーケンス生成部にリセット要求を与える検出部を備える。送信装置において、データシーケンス生成部は、検出部からのリセット要求に応答して、前回のデータシーケンスの生成を停止して、スクロール表示すべき複数の対象を表すデータシーケンスを作り直して再送し、受信装置において、表示部は、データシーケンス生成部により再送されたデータシーケンスに従って、表示対象をスクロール表示する。
【発明の効果】
【００１０】
上記局面によれば、表示信号生成部は、表示部上で表示の乱れを招くようなデータシーケンスの生成を、検出部からのトリガ信号に応答して停止する。その後、表示信号生成部は、データシーケンスを作り直して受信装置に送信し、受信装置側の表示部は、作り直されたデータシーケンスに従って、複数の対象をスクロール表示する。従って、ユーザは、表示の乱れを観る必要が無くなる。さらに、表示部上で表示の乱れを招くようなデータシーケンスの生成は停止され、リセット後に、スクロールは改めて最初から行われる。これによって、ユーザは、スクロール表示すべき情報を短時間で正しい状態で見ることが可能なる。
【発明を実施するための最良の形態】
【００１１】
（第１の実施形態）
図１は、本発明の第１の実施形態に係る送受信システム１ａの全体構成を示すブロック図である。図１において、送受信システム１ａは、送信装置１１ａと、受信装置１２ａとを備えている。
【００１２】
送信装置１１ａは、例えば、ＣＤプレーヤ、ＭＤプレイヤ又は半導体オーディオプレイヤに代表される携帯型機器であって、コンテンツ格納部１１１と、コンテンツ取得部１１２と、コンテンツ再生部１１３と、書誌情報取得部１１４と、書誌情報格納部１１５と、データシーケンス生成部１１６と、状態検出部１１７とを備えている。本実施形態では例示的に、上記構成の内、コンテンツ取得部１１２と、コンテンツ再生部１１３と、書誌情報取得部１１４と、書誌情報格納部１１５と、データシーケンス生成部１１６とは、送信装置１１ａに予め格納されているコンピュータプログラムを実行するマイクロコンピュータにより実現される。
【００１３】
また、上記マイクロコンピュータにおり実現される構成のうち、例えばコンテンツ再生部１１３のような一部の構成が、マイクロコンピュータとは別のＬＳＩにより実現されても構わない。他にも、コンテンツ再生部１１３は、ハードウェアデコーダにより実現されても構わない。さらに、コンテンツ取得部１１２は、光ピックアップ、トラバースモータおよびサーボＬＳＩで実現されても構わない。
【００１４】
コンテンツ格納部１１１は、例えば光学ディスク又はメモリカードのような送信装置１１ａに対し着脱自在な可搬性記録メディアである。代替的に、コンテンツ格納部１１１は、送信装置１１ａに内蔵された半導体メモリ又はハードディスクのような、非可搬性記録メディアであっても構わない。このようなコンテンツ格納部１１１には、ディジタル化された映像データ又は音響データ（以下、コンテンツデータと称する）が格納される。コンテンツデータは、本実施形態では、ＭＰ３（Ｍｐｅｇ  Ａｕｄｉｏ  Ｌａｙｅｒ  ＩＩＩ）に従って圧縮されていると仮定する。この仮定下では、また、コンテンツデータにおいてＩＤ３タグには、コンテンツの書誌情報として、例えばアルバム名、タイトル名およびアーティスト名のような文字列（コード列）が格納されている。
【００１５】
コンテンツ取得部１１２は、今回再生すべきコンテンツデータを、コンテンツ格納部１１１から取得する。コンテンツ再生部１１３は、コンテンツ取得部１１２により取得されたコンテンツデータを復号し、その結果得られる再生信号（例えば、コンテンツを表すアナログ信号）を、スピーカ（図示せず）に出力する。
【００１６】
書誌情報取得部１１４は、今回再生すべきコンテンツデータの書誌情報を読み出し、書誌情報格納部１１５に一時的に格納する。
【００１７】
データシーケンス生成部１１６は、書誌情報格納部１１５に格納された書誌情報に含まれる複数の文字列（表示対象の一例）を少なくとも含むデータシーケンスを生成し、受信装置１２ａに送信する。ここで、データシーケンスに含まれる文字列は、受信装置１２ａにおいてスクロール表示の対象となる。また、データシーケンスは、必要に応じて、このようなスクロール表示のための制御コマンドを含む。
【００１８】
状態検出部１１７は、受信装置１２ａ側の状態変化を検出すると、データシーケンス生成部１１６に対し、データシーケンスの作成をやり直す旨を示すリセット要求を与える。本実施形態では、受信装置１２ａ側の状態変化は、後述する開始要求により検出される。
【００１９】
次に、受信装置１２ａについて説明する。受信装置１２ａは、例えば、ＣＤプレーヤ、ＭＤプレイヤ又は半導体オーディオプレイヤに代表される携帯型機器と共に用いられるリモートコントローラであって、駆動部１２１と、表示部１２２と、キー受付部１２３と、要求生成部１２４とを備えている。
【００２０】
駆動部１２１は、データシーケンス生成部１１６からのデータシーケンスを受信し、受信データシーケンスに従って、表示用のドライブ信号を生成し、表示部１２２に渡す。
【００２１】
表示部１２２は、駆動部１２１からのドライブ信号に従って、本実施形態において表示対象となる文字列をスクロール表示する。
【００２２】
キー受付部１２３は、受信装置１２ａに備わるキー（図示せず）から、ユーザの入力を受け付ける。ここで、キーの一例としては、開始要求のための機能が割り当てられていたり、他の機能が割り当てられていたりする。
【００２３】
要求生成部１２４は、キー受付部１２３に入力があると、前述の開始要求を生成し、送信装置１１ａ側の状態検出部１１７に送信する。ここで、開始要求は、データシーケンス生成部１１６に対して、現在のデータシーケンスの作成を中断し、同じデータシーケンスを作り直して、受信装置１２ａへの送信を要求するための信号である。
【００２４】
以下、図２および図３のシーケンスチャートを参照して、上記構成の送受信システム１ａについて動作例を説明する。なお、図２は、上記送受信システム１ａの基本的なデータ通信のシーケンスチャートである。また、図３は、上記送受信システム１ａにおいて特徴的なデータ通信のシーケンスチャートである。
【００２５】
まず、図２を参照して、上記送受信システム１ａの通常のデータ通信について説明する。なお、以下では、便宜上、表示部１２２は合計６文字分の表示領域を有するとして説明する。
【００２６】
まず、送信装置１１ａにおいて、データシーケンス生成部１１６は、書誌情報格納部１１５から、最初に表示すべき６文字（例えば、図２に示すように”ＡＢＣＤＥＦ”）のコードを含むデータを作成し、受信装置１２ａの駆動部１２１に送信する（シーケンスＳＱ１１）。その結果、受信装置１２ａの表示部１２２には、最初の６文字（”ＡＢＣＤＥＦ”）が表示される。
【００２７】
最初のデータの生成から所定時間（表示された文字をユーザが認識可能と想定される時間）が経過すると、データシーケンス生成部１１６は、書誌情報格納部１１５から、次に表示すべき１文字（例えば、図２に示すように”Ｇ”）と、スクロールのためのコマンドとを含むデータを作成し、受信装置１２ａの駆動部１２１に送信する（シーケンスＳＱ１２）。その結果、受信装置１２ａの表示部１２２には、１文字分スクロールされた６文字（”ＢＣＤＥＦＧ”）が表示される。
【００２８】
前回のデータの生成から所定時間が経過すると、データシーケンス生成部１１６は、書誌情報格納部１１５から、次に表示すべき１文字（例えば、図２に示すように”Ｈ”）と、スクロールのためのコマンドとを含むデータを作成し、受信装置１２ａの駆動部１２１に送信する（シーケンスＳＱ１３）。その結果、受信装置１２ａの表示部１２２には、前回と比較して１文字分スクロールされた６文字（”ＣＤＥＦＧＨ”）が表示される。
【００２９】
ここで、何らかの原因で、受信装置１２ａが送信装置１１ａからのデータシーケンスを受信不能になった場合において、要求生成部１２４が開始要求を送信装置１１ａに送信しなかった場合、データシーケンス生成部１１６は、前回のデータ生成から所定時間経過すると、次に表示すべき１文字（例えば、図２に示すように”Ｉ”）と、コマンドとを含むデータを作成し、受信装置１２ａに向けて送信しようとする（シーケンスＳＱ１４）。しかしながら、受信装置１２ａは、今回のデータを受信不能である。
【００３０】
さらに、データシーケンス生成部１１６は、その次に表示すべき１文字（例えば、図２に示すように”Ｊ”）と、コマンドとを含むデータを作成し、受信装置１２ａに向けて送信しようとする（シーケンスＳＱ１５）。しかしながら、受信装置１２ａは、今回のデータも受信不能である。
【００３１】
その後、受信装置１２ａが送信装置１１ａからのデータシーケンスを受信可能になったと仮定すると、データシーケンス生成部１１６は引き続き、前回のデータ生成から所定時間経過すると、その次に表示すべき１文字（例えば、図２に示すように”Ｋ”）と、コマンドとを含むデータを作成し、受信装置１２ａに向けて送信する（シーケンスＳＱ１６）。その結果、受信装置１２ａの表示部１２２には、前回表示された文字列と比較して１文字分スクロールされた６文字（”ＤＥＦＧＨＫ”）が表示される。しかしながら、受信装置１２ａは、今回のデータも受信不能である。  
【００３２】
このように、送信装置１１ａから送られた今回のデータのシーケンスにより、受信装置１２ａでは、本来ならば、”ＡＢＣＤＥＦ”→”ＢＣＤＥＦＧ”→”ＣＤＥＦＧＨ”→”ＤＥＦＧＨＩ”→”ＥＦＧＨＩＪ”→”ＦＧＨＩＪＫ”という文字列がスクロール表示されるはずである。しかし、上述のように、”Ｉ”と”Ｊ”を含む２セット分のデータを受信装置１２ａは受信できないので、受信装置１２ａには、実際、”ＡＢＣＤＥＦ”→”ＢＣＤＥＦＧ”→”ＣＤＥＦＧＨ”→”ＤＥＦＧＨＫ”という、”Ｈ”および”Ｋ”の間に不連続な箇所を含む不正確な文字列がスクロール表示されることになる。また、”ＡＢＣＤＥＦ”→”ＢＣＤＥＦＧ”→”ＣＤＥＦＧＨ”→”ＤＥＦＧＨＩ”→”ＥＦＧＨＩＪ”→”ＦＧＨＩＪＫ”というスクロール表示を観ようとすると、ユーザは、再度、シーケンスＳＱ１１から順番に処理が行われるまで待たなければならない。
【００３３】
次に、図３を参照して、上記送受信システム１ａの特徴的なデータ通信について説明する。図３のシーケンスチャートは、図２のそれと比較すると、シーケンスＳＱ１６の変わりに、シーケンスシーケンスＳＱ２１−ＳＱ２２を含む点で相違する。それ以外に両シーケンスチャートには相違点は無い。それ故、図３において、図２のシーケンスに相当するものには同一の符号を付け、それぞれの説明を省略する。
【００３４】
シーケンスＳＱ１３の後、何らかの原因で、受信装置１２ａが送信装置１１ａからのデータシーケンスを受信不能な状態が解除されたになった場合、受信装置１２ａ側のキー入力に応答して、要求生成部１２４が開始要求を送信装置１１ａに送信すると（シーケンスＳＱ２１）、送信装置１１ａ側の状態検出部１１７は、データシーケンス生成部１１６にリセット要求を与える。
【００３５】
リセット要求に応答して、データシーケンス生成部１１６は、書誌情報格納部１１５から、最初に表示すべき６文字（図３に示す下段の”ＡＢＣＤＥＦ”）のコードを含むデータを作成し、受信装置１２ａの駆動部１２１に送信する（シーケンスＳＱ２２）。その結果、受信装置１２ａの表示部１２２には、最初の６文字（”ＡＢＣＤＥＦ”）が表示される。以降は、図２を参照して説明したようなシーケンスＳＱ１２以降と同様の処理が行われる。
【００３６】
以上説明したように、本実施形態によれば、受信装置１２ａ側がデータシーケンスを受信不能な状態が解除されたに陥った後、送信装置１１ａでは、受信装置１２ａ側からスクロールのやり直しを求める開始要求に応答して、データシーケンスの送信が最初からやり直しされる。これによって、受信装置１２ａ側において不正確なスクロールが発生すると、送信装置１１ａは、以降のデータ通信を停止し、スクロールを最初からやり直すためにデータ通信を改めて行う。これによって、ユーザは、不正確なスクロール表示を最後まで観る必要が無くなり、２回目のスクロールの開始まで待つ時間を削減することができる。
【００３７】
なお、以上の実施形態において、送信装置１１ａおよび受信装置１２ａは有線で接続されていても構わないし、無線で接続されていても構わない。
【００３８】
また、以上の実施形態では、コンテンツデータは、ＭＰ３によりデータ圧縮され、書誌情報は、ＩＤ３タグに含まれるとして説明したが、これに限らず、書誌情報は、コンテンツデータ自身の内部、又は自身に関連するメタデータに含まれていれば良い。他にも、書誌情報は、記録メディアにおけるＴＯＣ（Ｔａｂｌｅ  Ｏｆ  Ｃｏｎｔｅｎｔｓ）内に、格納されていても良い。
【００３９】
また、以上の実施形態では、スクロール表示の対象としての書誌情報は、アルバム名、タイトル名およびアーティスト名のような文字列として説明したが、これに限らず、記号列又は文字および記号が混在したものでも構わない。
【００４０】
また、以上の実施形態において、コンテンツ再生部１１３からの再生信号は、受信装置１２ａの一例としてのリモートコントローラと一体化されたイヤホン（インサイドホン）から出力されても構わない。
【００４１】
（変形例）
図４は、上記送受信システム１ａの変形例（以下、送受信システム１ｂと称する）の全体構成を示すブロック図である。図４において、送受信システム１ｂは、送信装置１１ｂと、受信装置１２ｂとを備えている。
【００４２】
送信装置１１ｂは、前述の送信装置１１ａと比較すると、状態検出部１１７の代わりに、状態検出部１３１を備えている点で相違する。それ以外に両送信装置１１ａおよび１１ｂの間に相違点は無いので、図４において、図１の構成に相当するものには同一の参照符号を付け、それぞれの説明を省略する。
【００４３】
次に、受信装置１２ｂについて説明する。受信装置１２ｂは、前述の受信装置１２ａと比較すると、キー受付部１２３と、要求生成部１２４とを備えない点で相違する。それ以外に両受信装置１２ａおよび１２ｂには相違点は無いので、図４において、図１の構成に相当するものには同一の参照符号を付け、それぞれの説明を省略する。
【００４４】
次に、図５を参照して、上記送受信システム１ｂの特徴的なデータ通信について説明する。図５のシーケンスチャートは、図３のそれと比較すると、シーケンスＳＱ２２のトリガがシーケンスＳＱ２１で送られる開始要求で無い点で相違する。それ以外に両シーケンスチャートに相違点は無いので、図５において、図３のシーケンスに相当するものには同一の符号を付け、それぞれの説明を省略する。
【００４５】
状態検出部１３１は、送信装置１１ｂおよび受信装置１２ｂが有線通信路により挿抜可能に接続される場合、受信装置１２ａ側の状態変化として、有線通信路を介して受信装置１２ａが送信装置１１ｂに接続されたから抜けたこと（挿されたこと）を検出する。このような状態変化を検出すると、状態検出部１３１は、前述同様のリセット要求を、データシーケンス生成部１１６に与える。  
【００４６】
以上のような変形例によっても、第１の実施形態と同様の技術的効果を得ることが可能となる。
【００４７】
なお、以上の変形例では、受信装置１２ｂは、送信装置１１ｂに有線通信路で接続されるとして説明した。しかし、これに限らず、送信装置１１ｂおよび受信装置１２ｂは無線リンクで通信可能に構成されても構わない。この場合、状態検出部１３１は、無線リンクが確立された切れた場合に、リセット要求をデータシーケンス生成部１１６に与える。
【００４８】
（第２の実施形態）
図６は、本発明の第２の実施形態に係る送受信システム１ｃの全体構成を示すブロック図である。図６において、送受信システム１ｃは、複数の送信装置１１ｃ（図示は２台の送信装置１１ｃ’および１１ｃ”）と、受信装置１２ｃとを備えている。
【００４９】
各送信装置１１ｃは、前述の送信装置１１ａと同様の構成を有するため、それぞれの説明を省略する。
【００５０】
受信装置１２ｃは、複数の送信装置１１ｃからのデータシーケンスを正しくスクロール表示するために、前述の受信装置１２ａと比較すると、キー受付部１２３および要求生成部１２４の代わりに、キー受付部１４１と、要求生成部１４２と、データシーケンス選択部１４３とを備えている。
【００５１】
キー受付部１４１は、受信装置１２ｃに備わるキー（図示せず）から、ユーザの入力を受け付ける。ここで、キーの一例としては、複数の送信装置１１ｃのいずれかを指定するための機能が割り当てられている。
【００５２】
要求生成部１４２は、キー受付部１４１に入力から、今回選択された送信装置１１ｃを特定し、各送信装置１１ｃ向けの開始要求を生成し、それに備わる状態検出部１１７に送信する。また、要求生成部１４２は、今回選択された送信装置１１ｃをデータシーケンス選択部１４３に指定する。
【００５３】
データシーケンス選択部１４３は、要求生成部１４２の指定に応答して、今回スクロール表示すべき送信装置１１ｃからのデータシーケンスを選択し、駆動部１２１に与える。
【００５４】
以下、図７および図８のシーケンスチャートを参照して、上記構成の送受信システム１ｃについて動作例を説明する。なお、なお、図７は、上記送受信システム１ｃの基本的なデータ通信のシーケンスチャートである。また、図８は、上記送受信システム１ｃにおいて特徴的なデータ通信のシーケンスチャートである。
【００５５】
まず、図７を参照して、上記送受信システム１ｃの通常のデータ通信について説明する。なお、以下では、便宜上、表示部１２２は合計６文字分の表示領域を有するとして説明する。また、以下の説明では、最初、送信装置１１ｃ’のデータシーケンスがスクロール表示され、やがて、ユーザは、キー操作により、送信装置１１ｃ”のデータシーケンスのスクロール表示に切り換えると仮定する。
【００５６】
まず、送信装置１１ｃ’は、第１の実施形態で説明したようにして、最初の６文字分（例えば、図７に示すように”ＡＢＣＤＥＦ”）のコードを含むデータを作成し、受信装置１２ｃに送信する（シーケンスＳＱ３１）。説明の簡素化のため、ほぼ同じタイミングで、送信装置１１ｃ”は、最初の６文字分（例えば、図７に示すように”あいうえおか”）のコードを含むデータを作成し、受信装置１２ｃに送信する（シーケンスＳＱ３２）。
上述のように、現時点では、送信装置１１ｃ’が選択されているので、受信装置１２ｃには、送信装置１１ｃ’からの６文字（”ＡＢＣＤＥＦ”）が表示される。
【００５７】
前回のデータ生成から所定時間経過後、送信装置１１ｃ’および１１ｃ”はそれぞれ、次の１文字と、スクロール用のコマンドとを含むデータを作成し、受信装置１２ｃに送信する（シーケンスＳＱ３３およびＳＱ３４）。ここで、送信装置１１ｃ’からのデータには、”Ｇ”のコードが含まれ、送信装置１１ｃ”からのデータには、”き”のコードが含まれる。ユーザが未だキー操作を行っていなければ、受信装置１２ｃには、送信装置１１ｃ’からのデータに従って、”ＢＣＤＥＦＧ”という文字列が表示される。
【００５８】
さらに所定時間が経過すると、送信装置１１ｃ’および１１ｃ”はそれぞれ、さらに次の１文字と、スクロール用のコマンドとを含むデータを作成し、受信装置１２ｃに送信する（シーケンスＳＱ３５およびＳＱ３６）。ここで、送信装置１１ｃ’からは”Ｈ”のコードが送信され、送信装置１１ｃ”からは”く”のコードが送信される。未だキーが操作されていなければ、受信装置１２ｃには、送信装置１１ｃ’からのデータに従って、”ＣＤＥＦＧＨ”という文字列が表示される。
【００５９】
ここで、送信装置１１ｃ”を指定するためにユーザがキー操作を行うと、要求生成部１４２は、今回選択された送信装置１１ｃ”をデータシーケンス選択部１４３に対し指定する。これに応答して、データシーケンス選択部１４３は、今回スクロール表示すべき送信装置１１ｃ”からのデータシーケンスを選択し、駆動部１２１に与えることになる。
【００６０】
以上のことから、前回のデータ生成から所定時間経過後、送信装置１１ｃ’および１１ｃ”はそれぞれ、さらに次の１文字と、スクロール用のコマンドとを含むデータを作成し、受信装置１２ｃに送信すると（シーケンスＳＱ３７およびＳＱ３８）、受信装置１２ｃでは、送信装置１１ｃ”からのデータに従って、スクロール表示が行われる。ここで、送信装置１１ｃ’からは”Ｉ”のコードが送信され、送信装置１１ｃ”からは”け”のコードが送信されると、受信装置１２ｃには、”ＤＥＦＧＨけ”という文字列が表示される。このような表示結果においては、”Ｈ”および”け”の間に不連続な箇所を含む。
【００６１】
次に、図８を参照して、上記送受信システム１ｃの特徴的なデータ通信について説明する。図８のシーケンスチャートは、図２のそれと比較すると、シーケンスＳＱ３８の変わりに、シーケンスシーケンスＳＱ４１−ＳＱ４２を含む点で相違する。それ以外に両シーケンスチャートには相違点は無い。それ故、図８において、図７のシーケンスに相当するものには同一の符号を付け、それぞれの説明を省略する。
【００６２】
シーケンスＳＱ３５およびＳＱ３６の後に、送信装置１１ｃ”を指定するためにユーザがキー操作を行うと、要求生成部１４２が開始要求を送信装置１１ｃ”に送信するとともに（シーケンスＳＱ４１）、今回選択された送信装置１１ｃ”をデータシーケンス選択部１４３に対し指定する。これに応答して、データシーケンス選択部１４３は、今回スクロール表示すべき送信装置１１ｃ”からのデータシーケンスを選択し、駆動部１２１に与えることになる。また、送信装置１１ｃ”においては、第１の実施形態と同様にして、状態検出部１１７は、データシーケンス生成部１１６にリセット要求を与える。
【００６３】
リセット要求に応答して、送信装置１１ｃ”は、最初に表示すべき６文字（図８に示す下段の”あいうえおか”）のコードを含むデータを作成し、受信装置１２ｃに送信する（シーケンスＳＱ４２）。その結果、受信装置１２ｃには、送信装置１１ｃ”から送信された最初の６文字（”あいうえおか”）が表示される。以降は、図７を参照して説明したようなシーケンスＳＱ３４→ＳＱ３６→ＳＱ３８と同様の処理が行われる。
【００６４】
以上説明したように、本実施形態によれば、受信装置１２ｃ側に、キー受付部１４１と、要求生成部１４２と、データシーケンス選択部１４３とを設けることにより、複数の送信装置１１ｃと接続されていても、受信装置１２ａ側からのスクロールのやり直しを求める開始要求に応答して、指定された送信装置１１ｃでは、データシーケンスの送信が最初からやり直しされる。
【００６５】
なお、以上の実施形態では、送信装置１１ｃの台数が２の場合について説明したが、送信装置１１ｃの台数は３以上であっても構わない。
【００６６】
また、以上の実施形態では、受信装置１２ｃに、キー受付部１４１と、要求生成部１４２と、データシーケンス選択部１４３とを設け、キー操作が処理のトリガになると説明した。しかし、キー操作が処理のトリガになるのは本実施形態に本質的なことではなくが、これに限らず、前述の変形例と同様に、有線通信路が送信装置１１ｃに挿されたり、の抜け又は無線リンクが確立されたりすること切れに基づいて、対象となる送信装置１１ｃは、データシーケンスの送信を最初からやり直しても構わない。他にも、対象となる送信装置１１ｃは、自身の内部状態又は受信装置１２ｃの内部状態の変化に基づいて、データシーケンスの送信を最初からやり直しても構わない。
【００６７】
（第３の実施形態）
図９は、本発明の第３の実施形態に係る送受信システム１ｄの全体構成を示すブロック図である。図９において、送受信システム１ｄは、送信装置１１ｄと、受信装置１２ｄとを備えている。
【００６８】
送信装置１１ｄは、前述の送信装置１１ａと同様の構成を有する。それ故、以下の説明では、送信装置１１ｄにおいて、送信装置１１ａの構成に相当するものには、同一の参照符号を付ける。
【００６９】
受信装置１２ｄは、前述の受信装置１２ｃと比較すると、キー受付部１５１と、要求生成部１５２と、ローカル情報格納部１５３と、ローカル情報取得部１５４と、データ選択部１５５とを備えている。
【００７０】
キー受付部１５１は、受信装置１２ｄに備わるキー（図示せず）から、ユーザの入力を受け付ける。ここで、キーの一例としては、予め定められた機能が割り当てられている。また、この機能に関連して、後述するローカル情報が受信装置１２ｄに表示される。
【００７１】
要求生成部１５２は、後述する所定の条件を満たすと、送信装置１１ｄ向けのリセット要求（以下、スクロールリセット要求と称する）を生成し、それに備わる状態検出部１１７に送信する。それに対し、キー受付部１５１への入力があると、要求生成部１５２は、ローカル情報の表示を開始するための要求（以下、ローカル表示要求と称する）を生成し、ローカル情報取得部１５４に送信する。また、要求生成部１５２は、今回選択されたものに応じて、送信装置１１ｄおよびローカル情報取得部１５４のいずれかを指定する。
【００７２】
ローカル情報格納部１５３は、コンテンツ格納部１１１と同様、可搬性記録メディアであっても良いし、非可搬性記録メディアであっても良い。このようなローカル情報格納部１５３には、受信装置１２ｄが内部に保持するローカル情報が格納される。受信装置１２ｄが例えばリモートコントローラの場合、ローカル情報は、典型的には、”ＨＯＬＤ”という文字列（コード列）からなる。
【００７３】
ローカル情報取得部１５４は、今回表示すべきローカル情報を、ローカル情報格納部１５４から取得し、データ選択部１５５に渡す。
【００７４】
データ選択部１５５は、送信装置１１ｄ又はローカル情報取得部１５４を要求生成部１５２から指定されると、送信装置１１ｄからのデータシーケンス、又はローカル情報取得部１５４からのローカル情報を選択し、駆動部１２１に与える。
【００７５】
以下、図１０を参照して、上記構成の送受信システム１ｄについて動作例を説明する。なお、以下では、便宜上、表示部１２２は合計６文字分の表示領域を有するとして説明する。
【００７６】
まず、送信装置１１ｄは、第１の実施形態におけるシーケンスＳＱ１１−ＳＱ１３と同様の処理を行う。その結果、受信装置１２ｄには、図１０に例示したように、”ＡＢＣＤＥＦ”→”ＢＣＤＥＦＧ”→”ＣＤＥＦＧＨ”という文字列がスクロール表示される。
【００７７】
上記のようなスクロール表示の最中に、ローカル情報の表示が必要なキー操作をユーザが行うと、要求生成部１５２は、ローカル表示要求をローカル情報取得部１５４に送信するとともに（シーケンスＳＱ５１）、ローカル情報取得部１５４をデータ選択部１５５に対し指定する。これに応答して、データ選択部１５５は、今回表示すべきローカル情報を選択し、駆動部１２１に与えることになる。
【００７８】
ローカル表示要求に応答して、ローカル情報取得部１５４は、表示すべきローカル情報を表す文字列（図１０に示す下段の”ＨＯＬＤ”）のコードが含まれるデータを作成し、データ選択部１５５に送信する（シーケンスＳＱ５２）。その結果、受信装置１２ｄには、ローカル情報を表す文字列が表示される。
【００７９】
また、ローカル情報の表示中、送信装置１１ｄからは、スクロール表示すべき文字のコードと、スクロール用のコマンドとを含むデータが受信装置１２ｄに順次送信される（図１０には、”Ｉ”の文字コードを含む送信データのみ図示）。しかし、ローカル情報の表示中、送信装置１１ｄからのデータは、データ選択部１５５により選択されないので、送信データは無効になる。
【００８０】
ローカル情報の表示開始から所定時間の経過後（前述の所定条件の一例）、要求生成部１５２は、スクロール開始要求を送信装置１１ｄに送信するとともに（シーケンスＳＱ５３）、送信装置１１ｄをデータ選択部１５５に対し指定する。これに応答して、データ選択部１５５は、データシーケンスを今回選択し、駆動部１２１に与えることになる。
【００８１】
また、スクロール開始要求に応答して、送信装置１１ｄは、最初に表示すべき６文字（図１０に示す下段の”ＡＢＣＤＥＦ”）のコードを含むデータを作成し、受信装置１２ｄに送信する（シーケンスＳＱ５４）。その結果、受信装置１２ｄには、送信装置１１ｄから送信された最初の６文字（”ＡＢＣＤＥＦ”）が表示される。以降は、図３を参照して説明したようなシーケンスＳＱ１２→ＳＱ１３と同様の処理が行われる。
【００８２】
以上説明したように、本実施形態によれば、送信装置１１ｄからのデータシーケンスのスクロール表示の最中に、ローカル情報の表示を割り込ませる場合であっても、ローカル情報の表示が終了すると、受信装置１２ｄからは、スクロールのやり直しを求めるスクロール開始要求が送信される。このようなスクロール開始要求に応答して、送信装置１１ｄでは、データシーケンスの送信が最初からやり直しされる。これによって、ローカル情報の割り込み表示に起因する不正確なスクロール表示を、ユーザは最後まで観る必要が無くなり、２回目のスクロールの開始まで待つ時間を削減することができる。
【００８３】
また、以上の実施形態では、シーケンスＳＱ５３における所定条件として、ローカル情報の表示開始から所定時間の経過することを例示したが、これに限らず、上記所定条件は、ローカル情報の表示終了後であっても良いし、ユーザのキー入力後であっても良い。
【００８４】
また、以上の実施形態では、受信装置１２ｄに、キー受付部１５１と、要求生成部１５２と、データ選択部１５５とを設けると説明したが、これに限らず、前述の変形例と同様に、有線通信路の接続の抜け又は無線リンクの確立切れの検出後に、送信装置１１ｄは、データシーケンスの送信を最初からやり直しても構わない。
【００８５】
（第４の実施形態）
図１１は、本発明の第４の実施形態に係る送受信システム１ｅの全体構成を示すブロック図である。図１１において、送受信システム１ｅは、送信装置１１ｅと、受信装置１２ｅと、別の送信装置１３とを備えている。
【００８６】
送信装置１１ｅは、前述の送信装置１１ａと同様の構成を有する。それ故、以下の説明では、送信装置１１ｅにおいて、送信装置１１ａの構成に相当するものには、同一の参照符号を付ける。
【００８７】
受信装置１２ｅは、前述の受信装置１２ｄと比較すると、キー受付部１５１、要求生成部１５２、ローカル情報格納部１５３、ローカル情報取得部１５４およびデータ選択部１５５の代わりに、キー受付部１６１、要求生成部１６２、外部情報格納部１６３および外部情報取得部１６４およびデータ選択部１６５を備えている。
【００８８】
キー受付部１６１は、受信装置１２ｅに備わるキー（図示せず）から、ユーザの入力を受け付ける。ここで、キーの一例としては、予め定められた機能が割り当てられている。また、この機能に関連して、後述する外部情報が受信装置１２ｅに表示される。
【００８９】
要求生成部１６２は、後述する所定の条件を満たすと、送信装置１１ｅ向けの開始要求（以下、スクロール開始要求と称する）を生成し、それに備わる状態検出部１１７に送信する。それに対し、キー受付部１６１への入力又は送信装置１３からのコマンドがあると、要求生成部１６２は、外部情報の表示を開始するための要求（以下、外部表示要求と称する）を生成し、外部情報取得部１６４に送信する。また、要求生成部１６２は、今回選択されたものに応じて、送信装置１１ｅおよび外部情報取得部１６４のいずれかを指定する。
【００９０】
外部情報格納部１６３は、コンテンツ格納部１１１と同様、可搬性記録メディアであっても良いし、非可搬性記録メディアであっても良い。このような外部情報格納部１６３には、別の送信装置１３から送られてくる外部情報を格納する。
【００９１】
外部情報取得部１６４は、表示すべき外部情報を、外部情報格納部１６４から取得し、データ選択部１６５に渡す。
【００９２】
データ選択部１６５は、送信装置１１ｅ又は別の送信装置１３が要求生成部１６２により指定されると、送信装置１１ｅからのデータシーケンス、又は外部情報取得部１６４からの外部情報を選択し、駆動部１２１に与える。
【００９３】
別の送信装置１３は、受信装置１２ｅに表示可能な外部情報を格納する。この送信装置１３が例えば携帯電話の場合、外部情報は例示的に、電話番号を表す文字列（コード列）を少なくとも含む。
【００９４】
以下、図１２を参照して、上記構成の送受信システム１ｅについて動作例を説明する。なお、以下では、便宜上、表示部１２２は合計６文字分の表示領域を有するとして説明する。
【００９５】
まず、送信装置１１ｅは、第１の実施形態におけるシーケンスＳＱ１１−ＳＱ１３と同様の処理を行う。その結果、受信装置１２ｅには、図１２に例示したように、”ＡＢＣＤＥＦ”→”ＢＣＤＥＦＧ”→”ＣＤＥＦＧＨ”という文字列がスクロール表示される。
【００９６】
上記のようなスクロール表示の最中に、外部情報の表示が必要なキー操作をユーザが行ったり、送信装置１３から所定のコマンドが受信装置１２ｅに到着したりすると行うと、要求生成部１６２は、外部表示要求を外部情報取得部１６４に送信するとともに（シーケンスＳＱ６１）、外部情報取得部１６４をデータ選択部１６５に対し指定する。これに応答して、データ選択部１６５は、今回表示すべき外部情報を選択し、駆動部１２１に与えることになる。
【００９７】
また、例えば、外部表示要求は送信装置１３にも送られる。外部表示要求に応答して、送信装置１３は、外部情報を外部情報格納部１６３に格納する。外部情報取得部１６４は、外部表示要求に応答して、表示すべき外部情報（例えば電話番号）を表す文字列（図１２に示す”０６−１２３”）のコードが含まれるデータを作成し、データ選択部１６５に送信する（シーケンスＳＱ６２）。その結果、受信装置１２ｅには、外部情報を表す文字列が表示される。
【００９８】
また、外部情報の表示中、送信装置１１ｅからは、スクロール表示すべき文字のコードと、スクロール用のコマンドとを含むデータが受信装置１２ｅに順次送信される（図１２には、”Ｉ”の文字コードを含む送信データのみ図示）。しかし、外部情報の表示中、送信装置１１ｅからのデータは、データ選択部１６５により選択されないので、送信データは無効になる。
【００９９】
外部情報の表示開始から所定時間の経過後（前述の所定条件の一例）、要求生成部１６２は、スクロール開始要求を送信装置１１ｅに送信するとともに（シーケンスＳＱ６３）、送信装置１１ｅをデータ選択部１６５に対し指定する。これに応答して、データ選択部１６５は、データシーケンスを今回選択し、駆動部１２１に与えることになる。
【０１００】
また、スクロール開始要求に応答して、送信装置１１ｅは、最初に表示すべき６文字（図１２に示す下段の”ＡＢＣＤＥＦ”）のコードを含むデータを作成し、受信装置１２ｅに送信する（シーケンスＳＱ６４）。その結果、受信装置１２ｅには、送信装置１１ｅから送信された最初の６文字（”ＡＢＣＤＥＦ”）が表示される。以降は、図３を参照して説明したようなシーケンスＳＱ１２→ＳＱ１３と同様の処理が行われる。
【０１０１】
以上説明したように、本実施形態によれば、送信装置１１ｅからのデータシーケンスのスクロール表示の最中に、外部情報の表示を割り込ませる場合であっても、外部情報の表示が終了すると、受信装置１２ｅからは、スクロールのやり直しを求めるスクロール開始要求が送信される。このようなスクロール開始要求に応答して、送信装置１１ｅでは、データシーケンスの送信が最初からやり直しされる。これによって、外部情報の割り込み表示に起因する不正確なスクロール表示を、ユーザは最後まで観る必要が無くなり、２回目のスクロールの開始まで待つ時間を削減することができる。
【０１０２】
なお、シーケンスＳＱ６３における所定条件は、第３の実施形態と同様に、外部情報の表示終了後であっても良いし、ユーザのキー入力後であっても良い。
【０１０３】
また、前述の変形例と同様に、有線通信路の接続の抜け又は無線リンクの確立切れの検出後に、送信装置１１ｅは、データシーケンスの送信を最初からやり直しても構わない。
【０１０４】
また、第３および第４の実施形態を組み合わせた送受信システムにしても構わない。
【産業上の利用可能性】
【０１０５】
本発明に係る送受信システムは、スクロール表示すべき情報をユーザに対しより短時間でより見易くし、リモートコントローラと、ＣＤプレーヤ、ＭＤプレイヤ又は半導体オーディオプレイヤに代表される携帯型機器とのセット等に有用である。
【図面の簡単な説明】
【０１０６】
【図１】本発明の第１の実施形態に係る送受信システム１ａの全体構成を示すブロック図
【図２】図１に示す送受信システム１ａにおける通常のデータ通信の一例を示すシーケンスチャート
【図３】図１に示す送受信システム１ａにおける特徴的なデータ通信の一例を示すシーケンスチャート
【図４】図１に示す送受信システム１ａの変形例（送受信システム１ｂ）の全体構成を示すブロック図
【図５】図４に示す送受信システム１ｂにおける特徴的なデータ通信の一例を示すシーケンスチャート
【図６】本発明の第２の実施形態に係る送受信システム１ｃの全体構成を示すブロック図
【図７】図６に示す送受信システム１ｃにおける通常のデータ通信の一例を示すシーケンスチャート
【図８】図６に示す送受信システム１ｃにおける特徴的なデータ通信の一例を示すシーケンスチャート
【図９】本発明の第３の実施形態に係る送受信システム１ｄの全体構成を示すブロック図
【図１０】図９に示す送受信システム１ｄにおけるデータ通信の一例を示すシーケンスチャート
【図１１】本発明の第４の実施形態に係る送受信システム１ｅの全体構成を示すブロック図
【図１２】図１１に示す送受信システム１ｅにおけるデータ通信の一例を示すシーケンスチャート
【符号の説明】
【０１０７】
１ａ，１ｂ，１ｃ，１ｄ，１ｅ  送受信システム
１１ａ，１１ｂ，１１ｃ，１１ｄ，１１ｅ  送信装置
１１１  コンテンツ格納部
１１２  コンテンツ取得部
１１３  コンテンツ再生部
１１４  書誌情報取得部
１１５  書誌情報格納部
１１６  データシーケンス生成部
１１７，１３１  状態検出部
１２ａ，１２ｂ，１２ｃ，１２ｄ，１２ｅ  受信装置
１２１  駆動部
１２２  表示部
１２３，１４１，１５１，１６１  キー受付部
１２４，１４２，１５２，１６２  要求生成部
１４３  データシーケンス選択部
１５３  ローカル情報格納部
１５４  ローカル情報取得部
１５５，１６５  データ選択部
１６３  外部情報格納部
１６４  外部情報取得部
【図１】
2007033872.tif 000003
【図２】
2007033872.tif 000004
【図３】
2007033872.tif 000005
【図４】
2007033872.tif 000006
【図５】
2007033872.tif 000007
【図６】
2007033872.tif 000008
【図７】
2007033872.tif 000009
【図８】
2007033872.tif 000010
【図９】
2007033872.tif 000011
【図１０】
2007033872.tif 000012
【図１１】
2007033872.tif 000013
【図１２】
2007033872.tif 000014